(57)【特許請求の範囲】
【請求項１】
樹脂成型品にアンダーカット部を形成すべく樹脂成型金型の構成部分であるコアを貫通し、その表面に対して斜めに且つ長手方向へ移動可能に設置されたルーズコア支持ロッドを移動させるエジェクター装置において、
前記樹脂成型金型の構成部分である可動側型板とその下部に間隔を開けて配置された台座プレートとの間に上下動可能に配置されたエジェクタープレートと、
前記ルーズコア支持ロッドの上昇及び下降時にその下端の相対的横移動方向に伸長して前記エジェクタープレートに形成された摺動路と、
この摺動路に移動可能に配置されたスライドベースと、  
前記スライドベースに前記ルーズコア支持ロッドの傾斜方向に枢動自在に支持されたガイドブッシュと、
前記エジェクタープレートの上昇及び下降時に、前記ガイドブッシュに沿って摺動することで前記スライドベースを強制的に横方向に摺動させるためのガイドロッドと、から構成されたエジェクター装置であって、
前記可動側型板は、その下面に形成された凹部を有し、
前記ガイドロッドの前記一端は、前記凹部に緊密に嵌め込まれたホルダーに係止され、
前記コアは、前記ルーズコア支持ロッドが摺動可能に挿通し、前記ガイドロッドと前記ルーズコア支持ロッドの傾斜角が同一傾斜角となるように前記傾斜角度を設定する挿通孔を有することを特徴とする樹脂成形金型のルーズコアエジェクター装置。
【請求項２】
前記ホルダーが円筒形状のホルダー本体を備え、このホルダー本体の下面にピンが設けられ、また前記ガイドロッドは、その一端に形成された切欠き部を備えると共にこの切欠き部を前記ホルダーの前記ピンに係合して支持されることを特徴とする請求項１に記載の樹脂成形金型のルーズコアエジェクター装置。
【請求項３】
前記ホルダーが円筒形状のホルダー本体を備え、更に前記可動側型板に形成された前記凹部に嵌め込む際の位置決め手段を備えていることを特徴とする請求項１又は２に記載の樹脂成形金型のルーズコアエジェクター装置。
【発明の詳細な説明】
【０００１】
【発明の属する技術】
本発明は樹脂成形金型のルーズコアエジェクター装置に関し、更に詳細には樹脂成形品にアンダーカット部を形成すべく樹脂成形金型の一部品を構成するコアを貫通し、その表面に対して斜めに且つ長手方向へ移動可能に設置されたルーズコア支持ロッドを移動させる装置に関する。
【０００２】
【従来の技術】
従来、樹脂成形品にアンダーカット部を形成すべく樹脂成形金型の一部品を構成するコアを斜めに貫通し且つ長手方向へ移動可能なルーズコアを移動させる装置は、エジェクター装置と呼ばれ、特許掲載公報（特許第２８２３７８２号）に開示されているように既に良く知られている。
【０００３】
上記の特許掲載公報に開示された従来のルーズコアエジェクター装置は、図５に示されるように樹脂成形金型１の一部品を構成する複数のコア２ａの貫通孔３を通って斜めに伸長するルーズコア４を備える。このルーズコア４の上端部は、コア２ａと協働して樹脂成形品を成型する型部分４ａとして機能し、その側面には樹脂成型品にアンダーカット部を形成する突出部４ｂが形成されている。このルーズコア４の下端部４ｃは、コア２ａの下方に間隔を開けて配置された上下動可能なエジェクタープレートと称する移動体５に連結されている。
【０００４】
このルーズコア４の下端部４ｃとエジェクタープレート５との連結構造について説明すると、２つのプレート５ａ、５ｂを重ねて構成されたエジェクタープレート５における上プレート５ａには、ルーズコア４の上昇及び下降時にその下端４ｃの相対的横移動方向に伸長する摺動路６が形成されている。
【０００５】
この摺動路６にはスライドベース７が摺動可能に配置され、このスライドベース７に形成された凹部７ａにルーズコア４の下端部４ｃが受け入れられ且つピン８で固定されている。そして、このルーズコア４に隣接する位置にはこのルーズコアに平行なアンギュラガイドロッド（以下単にガイドロッドと称する）９が配置されている。
【０００６】
ところで、コア２ａの下面には凹所１０が形成され、この凹所１０にはガイドプレート１１が嵌め込まれると共にボルト１２で当該コアに固定されている。ルーズコア４はこのガイドプレート１１に斜めに形成されたガイド孔１１ａを挿通してコア２ａの下方へ伸長している。このガイドプレート１１は、これに所定傾斜角度で形成されたガイド孔１１ａによってルーズコア４のスムーズな長手方向の摺動を可能とさせることから軸受けとして機能するものである。
【０００７】
他方、ガイドロッド９の両端には切欠き部１３が形成され、その上端部は、ガイドプレート１１に形成された貫通開口１１ｂを横断して取り付けられたピン１４に切欠き部１３を係合させて支持されている。このような従来の樹脂成形金型ルーズコアエジェクター装置によると、エジェクタープレート５が上昇又は下降すると、このプレート５に形成された摺動路６に配置されたスライドベース７がガイドロッド７に沿って移動する結果、このスライドベース７は上昇又は下降しながら摺動路６内を横方向移動する。
【０００８】
これにより、下端がスライドベース７に連結されたルーズコア４はその長手方向への上昇又は下降移動力を受けると共にガイドプレート１１に形成されたガイド孔１１ａに正確に案内されて移動する。
【０００９】
【発明が解決しようとする課題】
しかし、前述した従来のルーズコアエジェクター装置では、ルーズコア４を所定の傾斜方向に正確にガイドするガイド孔１１ａによる軸受け機能やガイドロッド９の上端を係止する支持機能を併せ持ったガイドプレート１１を必要としていたことから構造が複雑となり、その結果組み立てに手間と時間が掛かり、しかも非常に高い精度でガイド孔１１ａを形成しなければならないことからガイドプレート１１それ自体の製造コストも高く、これらがルーズコアエジェクター装置の価格を高める要因となっていた。
【００１０】
本発明の目的は、かかる従来の問題点を解決するためになされたもので、前述した従来のルーズコアエジェクター装置における基本的な性能を備えながらも構造が簡単で、組み立てに手間と時間がかからず、且つ安価な樹脂成型金型のルーズコアエジェクター装置を提供することにある。
【００１１】
【課題を解決するための手段】
本発明は樹脂成形金型のルーズコアエジェクター装置であり、前述の技術的課題を解決すべく以下のような構成とされている。すなわち、本発明は、樹脂成形品にアンダーカット部を形成すべく樹脂成形金型の構成部分であるコアを貫通し、その表面に対して斜めに且つ長手方向へ移動可能に設置されたルーズコア支持ロッドが、樹脂成形金型の構成部分である可動側型板とその下部に配置された台座プレートとにそれぞれ両端部を係止して傾斜配置されたガイドロッドに相対的に摺動可能に連結され且つ可動側型板と台座プレートとの間に上下動可能に配置されたエジェクタープレートの摺動路に移動可能に配置されたスライドベースの移動に連動してガイドロッドに平行な方向に移動する、樹脂成形金型のルーズコアエジェクター装置において、ガイドロッドの一端は、可動側型板の下面に形成された凹部に緊密に嵌め込まれたホルダーに係止され、またルーズコア支持ロッドは、コアにガイドロッドとほぼ同じ傾斜角度で形成された挿通孔を摺動可能に挿通し、この挿通孔がルーズコア支持ロッドの傾斜角度を設定する唯一の角度設定孔であることを特徴とする。
【００１２】
〈本発明における具体的構成〉
本発明における樹脂成形金型のルーズコアエジェクター装置は、前述した必須の構成要素からなるが、その構成要素が具体的に以下のような場合であっても成立する。その具体的構成要素とは、前記コアに形成された前記挿通孔の加工精度が低く、前記ガイドロッドとの平行度が低い時、前記ルーズコア支持ロッドの一方の端部が前記スライドベースに緩く係止されていることを特徴とする。
【００１３】
また、本発明における樹脂成形金型のルーズコアエジェクター装置では、前記ホルダーが円筒形状のホルダー本体を備え、このホルダー本体の下面側にピンが設けられ、またガイドロッドは、その一端に形成された切欠き部を備えると共にこの切欠き部をホルダーの前記ピンに係合して支持されることを特徴とする。
【００１４】
更に、本発明における樹脂成形金型のルーズコアエジェクター装置では、前記ホルダーが円筒形状のホルダー本体を備え、更に可動側型板に形成された凹部に嵌め込む際の位置決め手段を備えていることを特徴とする。
【００１５】
【発明の実施の形態】
以下、本発明に係る樹脂成形金型のルーズコアエジェクター装置を図に示される実施形態について更に詳細に説明する。図１には本発明の一実施形態に係るルーズコアエジェクター装置２０が示され、図２にはこのルーズコアエジェクター装置２０を備える樹脂成形金型１００が示されている。
【００１６】
この実施形態に係る樹脂成形金型のルーズコアエジェクター装置２０の構成は、基本的には、前述した特許掲載公報（特許第２８２３７８２号）に開示されているルーズコアエジェクター装置と同じである。すなわち、このルーズコアエジェクター装置２０を備える樹脂成型金型１００の全体的な構成としては、図２に示されるように固定側型板２１ａの下部に可動側型板２１ｂ及びコア２１ｃが配置され、これら固定側型板２１ａと可動側型板２１ｂ及びコア２１ｃとで樹脂成型空間２２（図１）を区画形成している。
【００１７】
可動側型板２１ｂ及びコア２１ｃの下方には台座プレート２３が配置されていて、これら可動側型板２１ｂ及びコア２１ｃと台座プレート２３との間にはスペーサ（図示せず）が両サイドに配置され、このようにして可動側型板２１ｂ及びコア２１ｃの下方におけるスペーサ間にエジェクタースペース２４を形成している。このエジェクタースペース２４にはエジェクタープレート２５が上下動可能に配置されている。
【００１８】
この樹脂成型金型１００には、前述の樹脂成型空間２２で形成される樹脂成型品にアンダーカット部を形成すべくコア２１ｃに形成された挿通孔２６に通されて斜めに伸長し且つ長手方向へ移動可能なルーズコア支持ロッド２７が設けられている。このルーズコア支持ロッド２７の上端部２７ａには、コア２１ｃと協働して樹脂成型品を成型するルーズコア２８がネジなどにより取り付けられている。
【００１９】
可動側型板２１ｂの下面には凹所２９が形成され、この凹所２９にはホルダー３０が嵌め込まれている。ホルダー３０は、図３に示されるように全体として円筒形状のホルダー本体３１ａと、その下面に設けられた二股部３１ｂ、３１ｃとから形成され、更に後述するガイドロッドの一端を係止するためのピン３１ｄがこの二股部間を横断するように取り付けられている。
【００２０】
また、ホルダー本体３１ａの円形上面には、その中心点を除く位置に突起部３１ｅが形成されている。ところで、ホルダー３０における二股部３１ｂ、３１ｃ間に取り付けられたピン３１ｄはガイドロッドを高い傾斜精度で保持するようにその一端を係止する必要があることから、ピン３１ｄが所定の方向に正確に向くように可動側型板２１ｂの下面に形成された凹所２９にホルダー３０を嵌め込まなければならない。
【００２１】
しかし、ホルダー３０は円筒形状のホルダー本体３１ａで実質的に構成されているため凹所２９に嵌め込む際に周方向については向きが定まらないことから位置決め手段が必要となる。ホルダー３０のホルダー本体３１ａ上面に設けられた突起部３１ｅは、ホルダー３０を凹所２９に嵌め込む際の周方向位置決め手段として機能する。すなわち、ピン３１ｄが正確に所定方向に向くようにホルダー３０を凹所２９内に嵌め込んだ時に、突起部３１ｅのための挿入孔３２が凹所２９内の天面に形成されている。
【００２２】
しかし、本発明において、ホルダー３０を可動側型板２１ｂ下面の凹所２９内に嵌め込む際の周方向位置決め手段は、前述したようなホルダー本体３１ａ上面に設けられる突起部３１ｅと可動側型板２１ｂ下面の凹所２９内の天面に設けられた挿入孔３２とによる構成に限定されるものではなく、例えばホルダー本体３１ａの外周面と凹所２９の内周面のいずれか一方に軸方向に伸長する突出部を形成し、他方にこの突出部が嵌合する溝部を形成する等してもよい。
【００２３】
ルーズコア支持ロッド２７は、ルーズコアエジェクター装置２０によりコア２１ｃの挿通孔２６内を上下方向へ摺動させられる。ルーズコア支持ロッド２７を摺動させるためにルーズコアエジェクター装置２０はエジェクタープレート２５を備えている。このエジェクタープレート２５には、ルーズコア支持ロッド２７の上昇及び下降時にその下端の相対的横移動方向に伸長する摺動路３３が形成されている。この摺動路３３にはスライドベース３４が摺動可能に配置され、このスライドベース３４の摺動方向側一端部３４ａにはルーズコア支持ロッド２７の下端部２７ｂがボルト３５で連結されている。
【００２４】
更に、ルーズコアエジェクター装置２０は、ルーズコア支持ロッド２７に隣接し且つこれに平行なアンギュラガイドロッド（以下単にガイドロッドと称する）３６が配置されている。このガイドロッド３６の両端にはＶ形の切欠き部３７が形成されている。このガイドロッド３６の上端部は、前述したホルダー３０の底面側に設けられているピン３１ｄに切欠き部３７を係合させて支持されている。
【００２５】
ところで、前述したエジェクタープレート２５に摺動可能に設けられたスライドベース３４の摺動方向側他端部３４ｂには、平面的に見た時にコ字形を呈する取付け部分が形成されている。このスライドベース３４のコ字形をした取付け部には図１及び図２に示されるようにガイドブッシュ３８が回動可能に取り付けられている。
【００２６】
上端部がホルダー３０により支持されたガイドロッド３６は、スライドベース３４に取り付けられた前述のガイドブッシュ３８に形成された挿通孔３８ａを通り、更に下プレート２５ｂに形成された逃げ孔３９を介して台座プレート２３へ伸長し、その下端部は、台座プレート２３に取り付けられたホルダーブッシュ４０のピン４１に切欠き部３７が係合されて支持されている。
【００２７】
このホルダーブッシュ４０は、一端側に二股部が形成され、この二股部間にピン４１が横断して取り付けられている。このホルダーブッシュ４０は、台座プレート２３に形成された開口部４２に挿入してボルト４３により固定されている。
【００２８】
このガイドロッド３６は、ルーズコア支持ロッド２７と平行即ち同一の傾斜角度で配置されている、と説明したが、このガイドロッド３６の角度設定は、図１から明らかなように可動側型板２１ｂと台座プレート２３との間隔即ち高さが決められているため（スペーサの高さ）、ホルダー３０に設けられたピン３１ｄとホルダーブッシュ４０に設けられたピン４１との横方向位置即ち間隔に依存する。
【００２９】
次に、本実施例における樹脂成形金型１００のルーズコアエジェクター装置２０の動作について説明する。樹脂成型品を本金型１００で成型後、エジェクタープレート２５が上昇される。エジェクタープレート２５が上昇すると、摺動路３３に配置されたスライドベース３４を介してルーズコア支持ロッド２７の下端部２７ｂには垂直上方への持ち上げ力が作用する。
【００３０】
ところが、このスライドベース３４は、これに取り付けられたガイドブッシュ３８がガイドロッド３６に摺動可能に外装されているため、このスライドベース３４の上昇と同時にこのガイドロッド３６に沿って横方向へ強制的に移動させられる。この時の横方向移動距離は、このガイドロッド３６の傾斜角がルーズコア支持ロッド２７と同じであることから、この傾斜角度をαとするとスライドベース３４の垂直方向移動高さをｙとした時、ｙ／ｔａｎα゜となる。
【００３１】
その結果、スライドベース３４は、上方向と横方向の移動力を同時に受け、ガイドロッド３６に沿う方向へ強制的に動くことになる。そのため、このスライドベース３４に下端部２７ｂが固着されたルーズコア支持ロッド２７には、その長手方向への移動力が付与されることになり、コア２１ｃの挿通孔２６に対して摩擦を発生させるような曲げ力及びモーメントの付与は起こらない。
【００３２】
他方、エジェクタープレート２５が下降する際には、前述の上昇の時とは反対にスライドベース３４がガイドロッド３６に沿って強制的に移動させられ、これによりルーズコア支持ロッド２７はその長手方向への引き下げ力が付与される。その結果、エジェクタープレート２５の下降時にもルーズコア支持ロッド２７への曲げ力及びモーメントの発生はなく、従って角度設定孔２６との摩擦を完全に回避することができる。
【００３３】
このような動作から明らかなように、エジェクタープレート２５に摺動可能に設置されたスライドベース３４と、ルーズコア支持ロッド２７と同一の傾斜角度で設置されたガイドロッド３６とがエジェクタープレート２５の上昇及び下降時にルーズコア支持ロッド２７の下端部２７ｂを積極的に横方向へ移動する手段を構成している。
【００３４】
前述した説明から明らかなように、本実施形態に係るルーズコアエジェクター装置２０では、従来のルーズコアエジェクター装置で用いていたガイドプレートは設けられていない。その理由として、この種のルーズコアエジェクター装置では、基本的にガイドロッドとルーズコア支持ロッドとを極めて高い精度で平行に保持する必要があるため、従来のルーズコアエジェクター装置では、ガイドロッドとルーズコア支持ロッドを上部と下部の２箇所で正確に同じ間隔で支持するように両者の支持部としてガイドプレートとスライドベースとを設け、これらをそれぞれ一部品として高い精度で加工製作することで両者の平行度を高めていた。
【００３５】
しかし、コア２１ｃに形成されるルーズコア支持ロッド摺動用の挿通孔２６を比較的に高い精度で加工しておけば、従来のガイドプレートで行っていたようにガイドロッドとルーズコア支持ロッドを一つの部品で共に支持する箇所を２箇所とする必要はなく、その結果高価なガイドプレートを省略することができるのである。
【００３６】
また、ガイドプレートを省略できる場合としては、自動調芯機能を利用する場合である。この自動調芯機能について具体的に説明すると、成型品によってはルーズコア支持ロッド摺動用の挿通孔２６をそれ程高い精度で加工する必要がない場合がある。このような場合にはルーズコア支持ロッド２７とガイドロッド３６との平行度も低下することがある。
【００３７】
しかし、スライドベース３４は前述したようにガイドロッド３６に沿って上下動するためルーズコア支持ロッド２７がスライドベース３４から受ける力の方向とルーズコア支持ロッド２７の長手方向軸線の方向が正確に一致しなくなることがあり、その結果ルーズコア支持ロッド２７と挿通孔２６とにこすれ等を起こすような曲げモーメント等が発生することがある。
【００３８】
そこで、このような場合にはルーズコア支持ロッド２７の下端をボルトなどでスライドベース３４に堅固に固定することを避けて、図４に部分的に示されるようにピン４５などでルーズコア支持ロッド２７を緩く保持する。すなわち、ルーズコア支持ロッド２７の下端にその軸線方向に直交する貫通孔４６を形成し、この貫通孔４６の内径よりも若干小さな直径のピン４５を通して緩く支持するのである。
【００３９】
このようにすると、ルーズコア支持ロッド２７がスライドベース３４からガイドロッド３６に沿う方向の作用力を受けた時に、ルーズコア支持ロッド２７は、下端２７ｂにおける緩慢支持とコア２１ｃにおける挿通孔２６の低い加工精度がルーズコア支持ロッド２７の長手方向中心軸線をスライドベース３４から受ける作用力の方向に自動的に一致するように調整することになり、その結果ルーズコア支持ロッド２７と挿通孔２６とのこすれ等の発生を防止することができ、ルーズコア支持ロッド２７の挿通孔２６におけるスムーズな摺動を確保することができることになる。
【００４０】
このように、本実施形態は、従来のルーズコアエジェクター装置においてガイドロッドの上端部を支持する機能とルーズコア支持ロッドを精度良く所定の傾斜角度に保持する軸受け機能とを備えるガイドプレートを省略し、ルーズコア支持ロッド２７がガイドロッド３６とほぼ同じ傾斜角度でコア２１ｃに形成された挿通孔２６によってのみ傾斜角度を設定するようにし且つガイドロッド３６の上端部をホルダー３１のみにより支持するだけの構成となっている。そのような意味からコア２１ｃに形成されたルーズコア支持ロッド挿通用の孔２６は精度の善し悪しは別にして角度設定孔と言うことができる。
【００４１】
このようなことから、本実施形態に係るルーズコアエジェクター装置では、従来のルーズコアエジェクター装置でガイドプレートを取り付けるため、縦及び横の方向性を定めるように矩形にされた凹所を可動側型板下面に形成する必要がなく、位置と直径で確定する単純丸穴形状で形成できることから製作が非常に容易となるなど、極めて実用的な効果を奏する。
【００４２】
また、ガイドプレートを取り付けるための比較的に大きな矩形凹所を可動側型板下面に形成する必要がないということは、可動側型板などに形成される温調穴や各種の締結部品類との干渉を容易に回避することができ、設計の自由度が格段に向上するという大きな利点がある。
【００４３】
また、従来のルーズコアエジェクター装置で用いていたガイドプレートは前述したようにルーズコア支持ロッドを摺動可能に且つ高い精度の傾斜角度で支持するガイド孔を備えるため耐摩耗性のある高価な材料で、ガイドロッド３６の上端部を係止する支持部と共に形成されていた。しかし、本実施形態に係るルーズコアエジェクター装置ではガイドロッド３６の上端部を係止する支持機能のみとして、この支持機能をホルダー３１という単独の部品で行うようにしたことから安価な材料で形成することができる。
【００４４】
実際に、従来のルーズコアエジェクター装置で用いていたガイドプレートとガイドロッド３６の上端部を係止するホルダーとでは部品の価格が安価になる。しかも、本実施形態に係るルーズコアエジェクター装置２０の場合には、このホルダー３０を可動側型板２１ｂの下面に形成した横断面円形状の凹所２９に単に嵌め込むだけで取り付けても十分に機能することから組み立ても極めて容易となる。また、部品の価格、加工穴の形成と組立費用等を勘案すれば、総合減価は非常に大きくなる。
【００４５】
【発明の効果】
以上説明したように、本発明における樹脂成形金型のルーズコアエジェクター装置によれば、エジェクタープレートの上昇及び下降時にルーズコア支持ロッドの下端部をガイドロッドに沿って積極的に移動させるようにしたことから、ルーズコア支持ロッドの上昇及び下降時に従来及ぼされたような曲げ力及びモーメントが掛かることはなく、従ってルーズコア支持ロッドとコアの挿通孔開口縁部とのこすれの発生を防止することができ、ルーズコア支持ロッドの摩耗の発生を防止してその信頼性を向上させることができる。
【００４６】
また、本発明のルーズコアエジェクター装置によれば、前述したようにルーズコア支持ロッドをガイドロッドと平行に保持するためにガイド孔を備えるガイドプレートを省略し、ホルダーのみによってガイドロッドの上端部を係止するようにしたことから、構造が簡素化され、それに伴って組立て性も向上し、その結果安価に製作することができる。
【図面の簡単な説明】
【図１】本発明の一実施形態に係る樹脂成形金型のルーズコアエジェクター装置を示す斜視図である。
【図２】図１に示されるルーズコアエジェクター装置を備える樹脂成形金型の主要部を示す断面図である。
【図３】図１に示されるルーズコアエジェクター装置を構成するホルダーを示す斜視図である。
【図４】本発明の一実施形態に係るルーズコアエジェクター装置を備える樹脂成形金型の主要部を部分的に示す断面図である。
【図５】従来のルーズコアエジェクター装置を用いた樹脂成型金型の主要部を示す断面図である。
【符号の説明】
２０  樹脂成形金型のルーズコアエジェクター装置
２１ａ  固定側型板
２１ｂ  可動側型板
２１ｃ  コア
２２  樹脂成型空間
２３  台座プレート
２４  エジェクタースペース
２５  エジェクタープレート
２６  ルーズコア支持ロッド挿通孔（角度設定孔）
２７  ルーズコア支持ロッド
２８  ルーズコア
２９  凹所
３０  ホルダー
３１ａ  ホルダー本体
３１ｂ、３１ｃ  二股部
３１ｄ  ピン
３１ｅ  突起部
３２  位置合わせ用の挿入孔
３３  摺動路
３４  スライドベース
３５  ボルト
３６  ガイドロッド
３７  切欠き部
３８  ガイドブッシュ
３８ａ  挿通孔
３９  逃げ孔
４０  ホルダーブッシュ
４１  ピン
４２  開口部
４３  ボルト
【図１】
0003737712.tif 000002
【図２】
0003737712.tif 000003
【図３】
0003737712.tif 000004
【図４】
0003737712.tif 000005
【図５】
0003737712.tif 000006